(57)【要約】【課題】訓練者の身体状態と正否判定結果との関連性を蓄積可能な物品判定教育訓練装置を提供する。【解決手段】物品判定教育訓練装置は、複数の物品を画面１に表示する表示部２３と制御部２０と計測部２２と記憶部２１とを備える。制御部２０は、画面１に表示された複数の物品に不良品が含まれているか否かについてコントローラ３の操作によって入力された情報を取得して情報の正否判定を行う。計測部２２は、表示部２３によって物品が表示された時点からコントローラ３が操作されるまでに要した回答時間を計測する。記憶部２１は、コントローラ３を操作した訓練者の身体状態を表す瞬目状態および心拍間隔の少なくとも一つについて測定した生体データと正否判定の結果と回答時間とを対応づけて記憶する。【選択図】図１
2019101260.tif 000002
【特許請求の範囲】
【請求項１】
一つまたは複数の物品を画面（１）に表示する表示部（２３）と、
前記画面に表示された一つまたは複数の前記物品に不良品が含まれているか否か、あるいは前記画面に表示された複数の前記物品の中に存在する不良品がどの物品であるか、について操作部（３；１０３）の操作によって入力された情報を取得して前記情報の正否判定を行う正否判定部（２０）と、
前記表示部によって前記画面に前記物品が表示された時点から前記操作部が操作されるまでに要した回答時間を計測する計測部（２２）と、
前記操作部を操作した訓練者の身体状態を表す瞬目状態および心拍間隔の少なくとも一つについて測定した生体データと前記正否判定の結果と前記回答時間とを対応づけて記憶する記憶部（２１）と、
を備える物品判定教育訓練装置。
【請求項２】
前記訓練者の身体状態を測定した前記生体データである自発性瞬目とマイクロサッケードとに基づいて周辺視優位の状態であるか否かを判定する周辺視状態判定部（２０）を備える請求項１に記載の物品判定教育訓練装置。
【請求項３】
数秒間に１回の周期的な自発性瞬目が測定された場合に周辺視優位の状態であることを提示する周辺視状態判定部（２０）を備える請求項１に記載の物品判定教育訓練装置。
【請求項４】
前記訓練者の身体状態を測定した前記生体データである心拍間隔の周波数解析データに基づいて周辺視優位の状態であるか否かを判定する周辺視状態判定部（２０）を備える請求項１に記載の物品判定教育訓練装置。
【請求項５】
前記記憶部は、前記周辺視状態判定部によって判定された前記周辺視優位の状態を記憶する請求項２から請求項４のいずれか一項に記載の物品判定教育訓練装置。
【請求項６】
前記表示部は、静止している複数の前記物品を前記画面に表示する請求項１から請求項５のいずれか一項に記載の物品判定教育訓練装置。
【請求項７】
前記操作部は、回転操作可能な動的モデル（１０３）であり、
前記表示部は、前記動的モデルの回転角度に基づいた姿勢状態である一つの前記物品を前記画面に表示する請求項１から請求項５のいずれか一項に記載の物品判定教育訓練装置。
【請求項８】
検査者の現在の身体状態を表す瞬目状態および心拍間隔の少なくとも一つについて測定した生体データが、適正な検査を実施可能な身体状態を示す適正身体条件を満たすか否かを判定する身体状態判定部（２０）を備える請求項１に記載の物品判定教育訓練装置。
【請求項９】
検査者の現在の身体状態を表す瞬目状態および心拍間隔の少なくとも一つについて測定した生体データが、前記検査者に適合する特定のグループに関して定めされた適正な検査を実施可能な身体状態を示す適正身体条件を、満たすか否かを判定する身体状態判定部（２０）を備える請求項１に記載の物品判定教育訓練装置。
【請求項１０】
検査者の現在の身体状態を表す瞬目状態および心拍間隔の少なくとも一つについて測定した生体データが、前記検査者に関して前記記憶部に記憶された前記生体データと前記正否判定の結果と前記回答時間とに基づいて求められた、適正な検査を実施可能な個別適正身体条件を満たすか否かを判定する身体状態判定部（２０）を備える請求項１に記載の物品判定教育訓練装置。
【発明の詳細な説明】
【技術分野】
【０００１】
この明細書における開示は、物品の良または不良の判定力を訓練、教育可能な物品判定教育訓練装置に関する。
【背景技術】
【０００２】
特許文献１には、現実に必要とされる動体視力を測定でき、動体視力を効率的に向上可能なプログラムが開示されている。
【先行技術文献】
【特許文献】
【０００３】
【特許文献１】特許第４８１３０８０号公報
【発明の概要】
【発明が解決しようとする課題】
【０００４】
この明細書を開示した者は、例えば製品の良品、不良品の正否判定において、判定する者の身体状態が判定結果に大きく関係することに着眼している。この点について、特許文献１に開示された技術では、当該プログラムを使用する訓練者における訓練時の身体状態に関して何ら開示するものではない。
【０００５】
この明細書に開示される一つの目的は、訓練者の身体状態と正否判定結果との関連性を蓄積可能な物品判定教育訓練装置を提供することである。
【課題を解決するための手段】
【０００６】
この明細書に開示された複数の態様は、それぞれの目的を達成するために、互いに異なる技術的手段を採用する。また、特許請求の範囲およびこの項に記載した括弧内の符号は、一つの態様として後述する実施形態に記載の具体的手段との対応関係を示す一例であって、技術的範囲を限定するものではない。
【０００７】
開示された物品判定教育訓練装置の一つは、一つまたは複数の物品を画面（１）に表示する表示部（２３）と、画面に表示された一つまたは複数の物品に不良品が含まれているか否か、あるいは画面に表示された複数の物品の中に存在する不良品がどの物品であるか、について操作部（３；１０３）の操作によって入力された情報を取得して情報の正否判定を行う正否判定部（２０）と、表示部によって画面に物品が表示された時点から操作部が操作されるまでに要した回答時間を計測する計測部（２２）と、操作部を操作した訓練者の身体状態を表す瞬目状態および心拍間隔の少なくとも一つについて測定した生体データと正否判定の結果と回答時間とを対応づけて記憶する記憶部（２１）と、を備える。
【０００８】
この物品判定教育訓練装置によれば、瞬目状態および心拍間隔の少なくとも一つについて測定したデータと正否判定の結果と回答時間とを対応づけた蓄積情報を取得できる。この蓄積情報を活用することにより、肯定的判定ができる身体状態や肯定的判定ができない身体状態を知ることができ、訓練者の習熟度判定を行うことができる。
【図面の簡単な説明】
【０００９】
【図１】第１実施形態の物品判定教育訓練装置に関する構成図である。
【図２】物品判定教育訓練装置におけるメニュー画面を示した図である。
【図３】静的モデルにおけるトレーニング条件の設定画面を示した図である。
【図４】静的モデルにおけるトレーニング時の表示画面を示した図である。
【図５】静的モデルにおける不良品の一例を示した画面の図である。
【図６】静的モデルにおける不良品の一例を示した画面の図である。
【図７】静的モデルにおける不良品の一例を示した画面の図である。
【図８】蓄積情報としての訓練結果を表示した画面の図である。
【図９】蓄積情報としての訓練結果に含まれる応答速度と正答率を表示した画面の図である。
【図１０】訓練中における熟練者と初心者の瞬目間隔を比較した生体データである。
【図１１】訓練中における訓練者の心拍間隔を拡大表示した生体データである。
【図１２】訓練中における訓練者の心拍間隔の変動を示した生体データである。
【図１３】安静時、訓練初期、訓練中における心拍間隔の変動を示した生体データである。
【図１４】訓練中における心拍間隔のローレンツプロットを示した生体データである。
【図１５】訓練中の心拍間隔に関する周波数解析結果を示した生体データである。
【図１６】第２実施形態の物品判定教育訓練装置に関する構成図である。
【図１７】回転モデルにおけるトレーニング時に画面に表示される物品の図である。
【図１８】図１７の物品における不良部分を拡大表示した図である。
【発明を実施するための形態】
【００１０】
以下に、図面を参照しながら本開示を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した他の形態を適用することができる。各形態で具体的に組み合わせが可能であることを明示している部分同士の組み合わせばかりではなく、特に組み合わせに支障が生じなければ、明示していなくても形態同士を部分的に組み合せることも可能である。
【００１１】
（第１実施形態）
明細書に開示の目的を達成可能な物品判定教育訓練装置の第１実施形態について、図１〜図１５を参照して説明する。物品判定教育訓練装置は、製品検査における良品、不良品を判定する良否判定能力を向上でき、目視検査教育を実施できる支援システムである。物品判定教育訓練装置を使用した訓練を実施することにより、目視検査現場において周辺視検査法を導入でき、検査工程、検査環境を改善することが可能である。
【００１２】
物品判定教育訓練装置を使用する対象者は、例えば、検査初心者、目視検査の実務者、目視検査工程の管理者の三者を想定している。いずれの者も製品のキズ、欠陥が照明の種類（例えば平行光，拡散光）、照明の当て方（例えば検査面の法線に対する入射角）、製品の傾け方（検査面の法線に対する角度）によってどのように見え方が変化するかについてはほとんど知識がない。目視検査の実務者の中にも周辺視優位な見方ができ、瞬時にキズ、欠陥に気付くことができる熟練者もいるが、不良品の見逃しによる注意を受けてきた経験を引きずり、製品を注視する傾向が強く周辺視優位な見方への移行が難しい者も多い。
【００１３】
一方、実務経験のない者が管理者である場合には，見逃しの原因が中心視優位な見つめる見方にあることを知らず、よく見れば、見逃しは無くなると信じていることが多い。したがって、目視検査教育訓練においては、中心視優位な注視する見方から周辺視優位な、変化に瞬時に気づく見方に安心して移行するためには、なぜ見つめなくても高い確率で異常や異変に気付くことができるかについての教育とそれを習得する訓練が必要となる。また、製品を傾けながら検査する場合の「キズや欠陥の見え方の原理」の教育と適切な視野範囲と角度範囲でのハンドリングが必要となる。
【００１４】
そこで、物品判定教育訓練装置では、良品、不良品が判断される物品に関して、画面において静止している静止物品（静的モデルともいう）回転可能な物品（回転モデルともいう）の２パターンを訓練することができるように設定されている。物品判定教育訓練装置を活用することにより、初心者、目視検査の実務者、目視検査工程の管理者を対象に照明、ワークのモデルを画面に表示しワークを動かすことで欠陥が見える原理を理解することができる。回転可能な物品については、後述する第２実施形態で説明し、静止している静止物品については第１実施形態で説明する。第１実施形態とで第２実施形態は、良否判定を行う対象である物品が異なるだけであり、訓練中に測定する生体データや取得する蓄積情報は同様である。
【００１５】
図１に示すように、物品判定教育訓練装置は、コンピュータ２において起動するアプリケーションを備えている。このアプリケーションは、教育訓練アプリと生体情報監視アプリとを含んでいる。このアプリケーションは、コンピュータ２によって起動可能に設置されている。このアプリケーションは、コンピュータ２にあらかじめダウンロードされた構成でもよいし、記録媒体を介してコンピュータ２において起動可能な構成でもよいし、通信ネットワークを介してコンピュータ２において起動可能な構成でもよい。
【００１６】
物品判定教育訓練装置は、コンピュータ２と画面１とコントローラ３と生体情報検出装置４とを備えている。画面１は、訓練者が良品、不良品を判定するための物品が表示されるモニタである。画面１に表示される物品は、同時に表示される、静止している複数の物品であり、静的モデルとも称する。静的モデルは、同形状の複数の物品である。画面１には、物品の一部に不良部分がある場合と不良部分がなくすべてが良品である場合とが表示されるようになっている。画面１に表示される物品は、コントローラ３の操作によって回答の信号が送信される毎に、新たに表示されるようになっている。
【００１７】
コントローラ３は、画面１を見た訓練者がボタン、ジョイスティック等を操作することによって、良品である旨の回答や不良品が含まれている旨の回答することができる操作部である。コントローラ３には、ゲーム用のコントローラを使用することができる。コンピュータ２には、複数の物品を画面１に表示する表示部２３と制御部２０と計測部２２と記憶部２１とが設けられている。表示部２３は、制御部２０によって指示された表示情報にしたがったパターンに該当する静的モデルの画像信号を画面１に出力する。制御部２０は、画面１に表示された物品に不良品が含まれているか否か、あるいは画面１に表示された複数の物品の中に存在する不良品がどの物品であるか、についてコントローラ３の操作によって入力された回答情報を取得する。制御部２０は、入力された回答情報について正否判定を行う正否判定部でもある。計測部２２は、物品が画面１に表示された時点からコントローラ３が操作されて回答が行われるまでに要した回答時間を計測して、制御部２０に出力する。
【００１８】
生体情報検出装置４は、訓練者の身体状態を表す瞬目状態および心拍間隔の少なくとも一つについて取得した生体データを検出する装置であり、検出した生体データを制御部２０に出力する。生体情報検出装置４には、視線解析デバイス、心拍センサが含まれる。視線解析デバイスは、前方用カメラと片眼用カメラおよび鼻部サポータから構成され，眼鏡の上からも装着可能な生体情報検出装置４である。心拍センサは、訓練者の胸部に直接貼付けまたは専用のベルト電極で装着し，心拍波形を検出する生体情報検出装置４である。物品判定教育訓練装置が取得する生体データは、生体情報検出装置４として、視線解析デバイスおよび心拍センサの両方を使用して得られるデータもよいし、いずれか一方を使用して得られるデータでもよい。
【００１９】
生体情報検出装置４によって検出された生体データは、生体情報監視アプリによって解析される。制御部２０は、生体情報監視アプリによって解析したデータを記憶部２１に出力して記憶部２１はデータを保存する。記憶部２１は、制御部２０によって行われた正否判定の結果を記憶するとともに、計測部２２によって出力された回答時間を記憶する。さらに記憶部２１は、訓練者について測定された生体データと正否判定の結果と回答時間とを対応づけて記憶する。記憶部２１は、例えば、正否判定の結果と回答時間とこれらを取得したときの生体データとを一つの情報として対応づけて記憶する。記憶部２１は、このように記憶しているデータを制御部２０に対して出力可能なように構成されている。
【００２０】
コンピュータ２は、ハードウェアおよびソフトウェアを有する。コンピュータ２は、プログラムに従って動作するデバイスを主なハードウェア要素として備える。コンピュータ２には、例えばパーソナルコンピュータを用いることができる。記憶部２１は、コンピュータ２によって読み取り可能なプログラムを非一時的に格納する非遷移的実体的記憶媒体である。記憶媒体は、半導体メモリまたは磁気ディスクなどによって提供されうる。制御部２０は、生体情報検出装置４、計測部２２、コントローラ３等から取得した情報と記憶されたマップやデータとを用いて所定のプログラムにしたがった判定処理や演算処理を行う演算処理装置である。
【００２１】
図２は物品判定教育訓練装置におけるメニュー画面を示している。訓練者が物品判定教育訓練装置を起動してＩＤとパスワードを入力すると、図２に示すようなメニュー画面が画面１に表示される。訓練者はこのメニュー画面から欲しい機能をコントローラ３を操作して選択することができる。訓練者は、例えば、「トレーニングのみ」、「トレーニングと視線解析」、「トレーニングと心拍解析」、「トレーニング、視線解析および心拍解析」といった使用の仕方を選択できる。この画面では、蓄積情報としての過去の成績の表示を選択することもできる。
【００２２】
図３は静的モデルにおけるトレーニング条件の設定画面を示している。訓練者はこの設定画面においてコントローラ３を操作することで、トレーニングレベル（難易度）、トレーニング数、エラー出現率、制限時間等を設定することができる。不良品モデルの出現確率、すなわちエラー出現率は、０％から１００％の範囲の任意の値に設定することができる。
【００２３】
静的モデルのトレーニングでは、画面１に複数の物品が表示される。図４は、静的モデルにおけるトレーニング時に表示される画面１の一例を示している。画面１上の複数の物品は、同一の形状である物品が縦横のそれぞれに数列をなすように配列されている。画面１に表示された複数の物品は、訓練者によってコントローラ３が操作されて回答に関る信号が制御部２０に入力されると、次の訓練用サンプルである複数の物品に切り換わる。計測部２２は、訓練用サンプルが画面１に表示された時点から回答が出力されるまでに要した回答時間を制御部２０に出力する。
【００２４】
図５〜図７は、静的モデルにおいて画面１に表示される不良品の表示例を示している。図５は、画面１に表示されている複数の物品のうち、少なくとも一つが他のものとは色むらがあり、明度が異なっている不良品の例である。図６は、画面１に表示されている複数の物品のうち、少なくとも一つに傷（スクラッチ）がついている不良品の例である。図７は、画面１に表示されている複数の物品のうち、少なくとも一つに欠け（チッピング）がある不良品の例である。物品判定教育訓練装置には、設定された難易度に応じてそれぞれの大きさと表面反射率を変えた欠陥モデルが多数用意されている。欠陥モデルのパターンと出現位置は、毎回ランダムに出題されるようになっている。
【００２５】
物品判定教育訓練装置を使用した静的モデルにおける訓練では、周辺視優位の見方、リズム動作の体験を教育することができる。
【００２６】
（周辺視優位の見方について）
この教育でもっとも重要なことは、どのようなものが欠陥であるかを知らなくても、良品と異なるものが画面１に表示された瞬間に違和感があり、その位置を注視し、それが欠陥であることを確認する周辺視優位の見方を体験することである。違和感があるときは、何かが動いたり、何かが変化したりするときであり、それが何であるかを意識する直前の意識に上らない状態であることを訓練者に理解させることができる。周辺視優位の見方では、画面１に製品が表示された瞬間から良品、不良品の判断のボタンが押されるまでの反応時間は１秒程度である。物品判定教育訓練装置は、訓練者の反応時間が１秒を大幅に越える場合には画面１への表示や音声の報知を行い、欠陥を見つけようとする中心視優位による見方になっていることを提示する。この提示がある場合は、訓練者に対して周辺視優位の見方になるように指導し、見方の改善を図ることができる。
【００２７】
（リズム動作について）
周辺視優位の見方を継続させるには，リズム動作が必須である。見る動作をリズム動作に組み入れることによって一連の動作を意識に上らせずに実行させることが可能となる。静的モデルの場合、一連の動作は、画面１の製品を見て，良品、不良品の判断をし、対応するボタンを操作することである。物品判定教育訓練装置は、正答の場合には例えば、画面の青点滅と「プッ」というブザー音を実施し、誤答の場合には例えば画面の赤点滅と「ブブ」というブザー音を実施し、次の新たな製品を画面１に表示する。これらの一連の回答動作をどのようなリズム動作に組み込むかについては、例えば、ゲームコントローラを上下に軽く振る動作はリズム動作を行うことが好ましい。
【００２８】
図８は画面１に表示される訓練結果の一例を示している。図８に表示されているテキスト情報はそのときの生体データとともに蓄積情報として記憶部２１に記憶されている。訓練者や管理者は、図８に表示されている情報を確認することにより、訓練者の習熟度を知ることができる。
【００２９】
図９は画面１に表示される訓練結果の一例を示している。この訓練結果は蓄積情報として、応答速度と正答率とをグラフ化したものであり、それぞれの成績に関する経時的変化の提示によりモチベーションが向上し、訓練者の習熟度を知ることもできる。さらに，図９に示す訓練履歴によれば、訓練の進行状況を瞬時に把握することができるので、各検査員に適した訓練計画を立てることに寄与する。図９に表示されている情報は、そのときの生体データとともに蓄積情報としての記憶部２１に記憶されている。
【００３０】
また、蓄積情報に含まれる訓練結果として、訓練者の弱点を視覚化したマップを表示することもできる。このマップでは誤答が起きる箇所の頻度をカラー表示している。この弱点マップによれば、同じ個所を何度も誤答したり誤答個所に偏りがあったりする場合には，視野全体を俯瞰するような見方ではなく、欠陥を探すような見方になっているので、見方の修正指導を行うことに寄与する。また、どのような物品群を誤答したかをグラフ化して画面１に表示した場合には、誤答対策を立てることにも貢献できる。
【００３１】
このように物品判定教育訓練装置を使用した訓練は、周辺視目視検査法を習得することに寄与する。周辺視目視検査法では、良品パターンのみを記憶し，それと異なるものが現れた瞬間に違和感があり、その位置を注視し正否判定を行う。したがって、物品判定教育訓練装置を使用した訓練によれば、欠陥パターンの事前学習を行うことなしに物品の正否判定を行えることを体験し、理解することができる。
【００３２】
物品判定教育訓練装置は、所定回数以上の訓練実績がある訓練者について、平均回答時間が所定時間以内で正答率１００％の訓練を複数回連続で達成したときには、静的モデルの検査に関して合格レベルに達したことを提示する。ユーザは、この提示を検査員としての能力認定に使用することができる。物品判定教育訓練装置は、例えば１０回以上の訓練実績がある訓練者が、平均応答時間１秒以内で正答率１００％の訓練を２回連続で達成した場合に、合格レベルに達したことを提示する。
【００３３】
物品判定教育訓練装置が視線解析デバイスによって検出した生体データを蓄積情報として記憶する例について説明する。物品判定教育訓練装置は、視線解析デバイスによって訓練者の瞬目状態と視線解析データとを取得する。
【００３４】
瞬目には、強い光など外部刺激による反射性瞬目、意識的に行う随意性瞬目、無意識に行う自発性瞬目の３種類がある。人は、緊張すると瞬目頻度が増加したり、何かを見つめると瞬目頻度は減少したりする。周辺視目視検査法をマスターした検査員について検査中の瞬目状態を観察すると、数秒に１回の周期的な瞬目が現れる。これは、欠陥を一生懸命見つけようと中心視優位による見方の検査員では見られない現象である。
【００３５】
図１０は、訓練中における熟練者と初心者の瞬目間隔を比較した生体データを示している。（ａ）のデータは周辺視目視検査法をマスターしているエキスパートの瞬目状態を示し、（ｂ）のデータは周辺視目視検査法の訓練を始めて間もないビギナーの瞬目状態を示している。エキスパートは、ほぼ４秒の一定間隔で瞬目が生じており、この間隔はちょうど１個の物品を検査する時間と一致している。
【００３６】
また、瞬目のタイミングは、前方用カメラの同期映像を分析した結果、眼で確認後、良品の物品を規定位置に置く瞬間であることがわかっている。一方、図１０に示すようにビギナーの瞬目間隔は安定せず、大きくばらついていることがわかる。また、エキスパートにおいては、数Ｈｚ程度の水平方向のマイクロサッケードを観察することができる。したがって、自発性瞬目の間隔とそのタイミング、水平方向のマイクロサッケードを測定することにより、周辺視目視検査法の習得状況、レベルの評価を行うことが可能である。
【００３７】
物品判定教育訓練装置の制御部２０は、数秒間に１回の周期的な自発性瞬目が測定された場合に周辺視優位の状態であることを提示することが好ましい。また、物品判定教育訓練装置の制御部２０は、訓練者の瞳孔中心の運動解析から数Ｈｚ程度の水平方向のマイクロサッケードを検出した場合に周辺視優位の状態であることを提示することが好ましい。このような提示があった場合は、訓練者や管理者は、訓練者が良品を見つけやすい好ましい周辺視状態であることを認識することができる。
【００３８】
この物品判定教育訓練装置を実際の検査ラインで使用することにより、注視点検出による不良見逃し原因の解析と検査環境の外乱対策とを行うことができる。瞬目状態と視線解析データにより、検査中の注視点位置がわかるため、不良品をなぜ見逃したかを分析することができる。例えば、検査者が、該当する異常に対して適切な角度や位置でハンドリングを行っていたかどうかを確かめることができる。
【００３９】
周辺視優位の状態は意識できない状態でもある。周辺視野に何かが突然入ってくる場合、例えば目の前を人が横切る場合には一瞬その方向にサッケードが生じ、製品から眼が離れる恐れがある。検査者の視線解析によれば、どのような外乱が不要なサッケードを生じやすいか検査環境の外乱対策として役立てることができる。
【００４０】
物品判定教育訓練装置が心拍センサによって検出した生体データを蓄積情報として記憶する例について説明する。物品判定教育訓練装置は、心拍センサによって心拍間隔ＲＲＩに関するデータを取得する。心拍の変動時系列データであるＲＲＩ（R-R Interval）は心電図から求めることができる。
【００４１】
訓練者の胸部に取り付けた心拍センサは、図１１に示す心電波形を取得する。一番大きい波形をＲ波と呼び、次のＲ波までの所要時間を心拍間隔ＲＲＩと呼ぶ。図１２は、Ｒ波のピーク位置より求めたＲＲＩの時間変動を示している。物品判定教育訓練装置はこのＲＲＩ信号を解析して自律神経系機能の活性度を推定する。自律神経系は交感神経と副交感神経からなり、心臓は両神経の二重支配を受けている。ストレスがかかると過剰に交感神経が働き、逆に副交感神経が働かなくなる。
【００４２】
図１３は静的モデルの訓練時におけるＲＲＩの変動を示している。図１３では、訓練開始前の閉眼での安静状態ではＲＲＩは平均９００ｍｓで±５０ｍｓ程度変動していることがわかる。訓練の開始直後は、１回１回の変動幅は半減するとともに大きな周期で６８０ｍｓまで急激に下がり、その後急激に８００ｍｓまで復帰する。訓練が進んだ状態では、大きな周期の変動は無くなり、安静時より周期の短い変動となる。図１４は、ＲＲＩのｉ番目の値を横軸、ｉ＋１番目の値を縦軸に取りプロットしたものであり、これをローレンツプロットという。図１４中の対角線上は、１回毎のＲＲＩの変動が０であることを示している。これにより、安静時は対角線より大きく離れてプロットされることがわかる。このような状態は、ストレスがない状態であり、心臓は副交感神経優位の支配を受けており安静時のようにリラックス状態のときに現れる。一方、訓練開始時は対角線に沿って大きく変動しており、交感神経優位の緊張状態にあるものと思われる。訓練中は、対角線に沿った大きな変動は無くなり、緊張状態が少し緩和されているものと思われる。
【００４３】
図１５は訓練中の周波数解析結果を示している。物品判定教育訓練装置は、図１５に示す、０．０５〜０．１５Ｈｚ間と０．１５〜０．４Ｈｚ間のパワースペクトルの積分値をそれぞれ低周波成分ＬＦ、高周波成分ＨＦとして求める。低周波成分ＬＦは血液変動に対応し高周波成分ＨＦは呼吸変動に対応する。ＬＦの方がＨＦよりも大きい場合には交感神経優位の支配を心臓は受けている。ＨＦの方がＬＦよりも大きい場合には副交感神経優位の支配を心臓は受けている。物品判定教育訓練装置は、ローレンツプロットによるＲＲＩの変動の可視化（図１４のデータ）ならびに周波数解析（図１５のデータ）を組み合わせて、検査員の１０〜１００秒程度の精神状態を推定することができる。
【００４４】
そこで、制御部２０は、訓練者の身体状態を測定した生体データである心拍間隔の周波数解析データに基づいて周辺視優位の状態であるか否かを判定する。心拍間隔の周波数解析データにおいて、第１の周波数範囲におけるパワースペクトルの積分値を第１周波成分（低周波成分ＬＦ）とし、第１の周波数範囲よりも大きい周波数を範囲とする第２の周波数範囲におけるパワースペクトルの積分値を第２周波成分（高周波成分ＨＦ）とする。制御部２０は、第２周波数成分の方が第１周波成分よりも大きい場合には、周辺視優位の状態であると判定し、この判定結果を提示することが好ましい。
【００４５】
物品判定教育訓練装置は、適正な検査を実施可能な身体状態を示すあらかじめ定められた適正身体条件を有している。制御部２０は、検査者の現在の生体データがこの適正身体条件を満たしている場合にはその旨を提示することが好ましい。
【００４６】
物品判定教育訓練装置は、検査者に適合する特定のグループに関して定められた適正な検査を実施可能な身体状態を示す適正身体条件を有している。制御部２０は、検査者の現在の生体データが適正身体条件を満たしている場合にはその旨を提示することが好ましい。
【００４７】
物品判定教育訓練装置は、検査者に関する、適正な検査を実施可能な個別適正身体条件を有している。個別適正身体条件は、検査者に関して蓄積情報として記憶部に記憶された生体データと正否判定の結果と回答時間とに基づいて求められる。制御部２０は、検査者の現在の生体データが個別適正身体条件を満たしている場合にはその旨を提示することが好ましい。
【００４８】
次に、第１実施形態の物品判定教育訓練装置がもたらす作用、効果について説明する。この物品判定教育訓練装置は、複数の物品を画面１に表示する表示部２３と、制御部２０と、計測部２２と、記憶部２１とを備える。制御部２０は、画面１に表示された複数の物品に不良品が含まれているか否か、あるいは画面１に表示された複数の物品の中に存在する不良品がどの物品であるかについてコントローラ３の操作によって入力された情報を取得して情報の正否判定を行う判定部である。計測部２２は、表示部２３によって画面１に物品が表示された時点からコントローラ３が操作されるまでに要した回答時間を計測する。記憶部２１は、コントローラ３を操作した訓練者の身体状態を表す瞬目状態および心拍間隔の少なくとも一つについて測定した生体データと正否判定の結果と回答時間とを対応づけて記憶する。
【００４９】
この装置によれば、瞬目状態および心拍間隔の少なくとも一つについて測定したデータと正否判定の結果と回答時間とを対応づけた蓄積情報を取得できる。この蓄積情報を活用することにより、肯定的判定ができる身体状態や肯定的判定ができない身体状態を知ることができ、検査環境の改善に役立てたり訓練者の習熟度判定を行ったりすることができる。
【００５０】
物品判定教育訓練装置は、訓練者の身体状態を測定した生体データである自発性瞬目とマイクロサッケードとに基づいて周辺視優位の状態であるか否かを判定する周辺視状態判定部としての制御部２０を備える。これによれば、自発性瞬目の状態と視線解析とを用いて、リラックスかつ非緊張状態である周辺視優位の状態を検出することができる。また、周辺視優位でない状態を検出できることにより、周辺視優位でない状態を発生させる検査時の環境を理解することができ、外乱防止対策に役立てて検査環境の整備に寄与する物品判定教育訓練装置を提供できる。
【００５１】
物品判定教育訓練装置は、数秒間に１回の周期的な自発性瞬目が測定された場合に周辺視優位の状態であることを提示する周辺視状態判定部としての制御部２０を備える。これによれば、訓練者の自発性瞬目が数秒間に１回の周期的な頻度である場合に周辺視優位の状態であることを提示して、例えばこの状態を報知したり、蓄積情報として記憶部に記憶して正否判定の結果や回答時間との関連性を分析したりすることができる。
【００５２】
物品判定教育訓練装置は、訓練者の身体状態を測定した生体データである心拍間隔の周波数解析データに基づいて周辺視優位の状態であるか否かを判定する周辺視状態判定部としての制御部２０を備える。これによれば、心拍間隔の周波数解析データに基づいて、副交感神経優位の支配を心臓が受けている場合にみられる周辺視優位の状態を検出することができる。また、交感神経優位の支配を心臓が受けている場合にみられる周辺視優位でない状態を検出できることにより、周辺視優位でない状態を発生させる検査時の環境を理解でき、外乱防止対策に役立てて検査環境の整備に寄与する物品判定教育訓練装置を提供できる。
【００５３】
記憶部２１は、前述の周辺視状態判定部によって判定された周辺視優位の状態を記憶する。これによれば、周辺視優位の状態において正否判定の結果や回答時間が良好であることを訓練者に対して理解させることが可能な物品判定教育訓練装置を提供できる。
【００５４】
表示部２３は、静止している複数の物品を画面１に表示する。これによれば、訓練者は画面を見ることで、静止している複数の物品の中に不良品が含まれているか否かを判定する能力を訓練することができる。これにより、実際の検査工程において複数の製品に対して周辺視優位の状態で正否判定を行うことを習得可能な物品判定教育訓練装置を提供できる。
【００５５】
物品判定教育訓練装置は、検査者の現在の身体状態を表す瞬目状態および心拍間隔の少なくとも一つについて測定した生体データが、適正な検査を実施可能な身体状態を示す適正身体条件を満たすか否かを判定する身体状態判定部としての制御部２０を備える。
【００５６】
これによれば、検査者の現在の生体データが、適正な検査を実施可能な身体状態を示す適正身体条件を満たしているか否かを判定することができる。このように人が適正な検査を実施できると想定できる適正身体条件を用いた判定により、例えば検査前の検査者が適正な検査を実施できる身体状態であるか否かを検出できる。これにより、検査者が適正な検査を実施できる身体状態、例えば周辺視優位になりやすい身体状態であることを確認してから検査を実施することが可能になり、製品の品質確保や生産性向上に寄与する。この物品判定教育訓練装置によれば、検査者が適正な検査を実施できる身体状態でない場合には、適正な検査を実施できる身体状態、例えば周辺視優位になりやすい身体状態に持っていく施策を実施することに寄与する。
【００５７】
物品判定教育訓練装置は、検査者の現在の身体状態を表す瞬目状態および心拍間隔の少なくとも一つについて測定した生体データが、検査者に適合する特定のグループに関して定めされた適正な検査を実施可能な身体状態を示す適正身体条件を、満たすか否かを判定する身体状態判定部を備える。制御部２０は身体状態判定部として機能する。
【００５８】
これによれば、検査者の現在の生体データが、検査者に適合するグループについて定められた適正身体条件を満たしているか否かを判定することができる。例えば、検査者の年齢に適合するグループ、検査者の性別および年齢に適合するグループ、検査者の心肺機能に適合するグループ等に関して、周辺視優位の状態になりやすい適正身体条件を蓄積情報等を活用して定めることができる。これにより、身体が検査者と類似している人の生体データを用いて定められた適正身体条件によって、検査者が周辺視優位になりやすい身体状態であることを確認してから検査を実施することができ、製品の品質確保や生産性向上に寄与する。また、この物品判定教育訓練装置によれば、検査者が適正な検査を実施できる身体状態でない場合には、周辺視優位になりやすい身体状態に持っていく施策を実施することに寄与する。
【００５９】
物品判定教育訓練装置は、検査者の現在の身体状態を表す瞬目状態および心拍間隔の少なくとも一つについて測定した生体データが、検査者に関して記憶部に記憶された生体データと正否判定の結果と回答時間とに基づいて求められた、適正な検査を実施可能な個別適正身体条件を満たすか否かを判定する身体状態判定部を備える。制御部２０は身体状態判定部として機能する。
【００６０】
これによれば、検査者の現在の生体データが、検査者に関する訓練時の蓄積情報から求められる各検査者の個別適正身体条件を満たしているか否かを判定することができる。このように各検査者特有の個別適正身体条件を用いた判定により、例えば検査前の検査者が適正な検査を実施できる身体状態であるか否かを検出できる。これにより、検査者が適正な検査を実施できる身体状態であることを確認してから検査を実施してもらうことが可能になり、製品の品質確保や生産性向上に寄与する。また、検査者が適正な検査を実施できる身体状態でない場合には、適正な検査を実施できる身体状態に持っていくように身体状態を整える施策を実施することに寄与する物品判定教育訓練装置を提供できる。
【００６１】
（第２実施形態）
第２実施形態の物品判定教育訓練装置について図１６〜図１８を参照して説明する。以下、第１実施形態との相違点について説明する。
【００６２】
回転モデルの目視検査教育訓練においては、中心視優位な注視する見方から周辺視優位な見方に安心して移行するために、製品を傾けながら検査する場合の「キズや欠陥の見え方の原理」の教育と適切な視野範囲と角度範囲でのハンドリングが必要となる。第２実施形態の物品判定教育訓練装置によれば、静的モデルの検査とは異なり、製品をハンドリングしながら不良部分に気付く感覚を磨くことができる。
【００６３】
第２実施形態の物品判定教育訓練装置は、第１実施形態のコントローラ３の代わりに、回転操作可能な動的モデル１０３を備えている。動的モデル１０３は、画面１に表示される物品と同様の形状に形成された物体である。動的モデル１０３は、モーションセンサ２４を有している。モーションセンサ２４は、３軸加速度、３軸ジャイロ、３軸地磁気のセンサを有している。モーションセンサ２４は、訓練者が動的モデル１０３を回転させることによる回転角度に応じた信号を制御部２０に出力する。したがって、動的モデル１０３の回転角度に基づいた物品の姿勢状態が表示部２３によって画面１に表示されることになる。さらに、動的モデル１０３には、訓練者が良品指示と不良部分の位置指示とをそれぞれ行うことができる操作可能な操作部が設けられている。
【００６４】
静的モデルでは照明は製品の上方からのスポット照明であり、スポット照明から見た製品が画面１に表示されている。回転モデルでは照明は訓練者の上方前方にあり、製品を前方や後方に傾けることによって、照明の光源像が製品上を下側や上側に移動する。このとき製品に欠陥が存在する場合には、良品であれば訓練者の眼には反射光が入らない位置から反射光が入り、その位置に欠陥があることを知覚できる。物品判定教育訓練装置を使用した教育で最も重要な事項は、欠陥（異常部）が見える原理を理解させることである。すなわち、異常部での反射光は正常部とは異なる反射や散乱等のふるまいをするため、製品を規定された角度の範囲を傾けることが必要であることを理解させることができる。
【００６５】
物品判定教育訓練装置を使用した回転モデルにおける訓練では、周辺視優位の見方、リズム動作の体験を教育することができる。
【００６６】
（周辺視優位の見方について）
周辺視優位の見方は基本的には静的モデルと変わらない。静的モデルでは、良品、不良品の判断のボタン操作と同時に新たな製品が画面に表示されるため、瞬間視での応答が可能である。回転モデルでは、欠陥モデルがある場合には動的モデル１０３を規定角度、回転動作しているときに異常部が出現するため、その瞬間を違和感として感じ、その位置を注視し、それが欠陥であることを確認する周辺視優位の見方の訓練が可能となる。周辺視優位の見方は、動的モデル１０３を回転動作させているときに異常部を違和感として感じる見方であり、回転動作を止めた瞬間に中心視優位の見方に変わることを理解させることができる。
【００６７】
（リズム動作について）
回転モデルでは，動的モデル１０３を回転させる動作がリズム動作となるため、規定角度範囲内の回転動作を円滑且つ途切れないようリズミカルに行うことが好ましい。規定角度範囲については、それぞれの欠陥によって異なるため、角度がもっとも大きい欠陥に合わせることが必要である。例えば，スクラッチのような表面の凹凸異常によって生じる欠陥は、光源像が製品表面に映り込む輝度の高い領域では輝度が低い領域として見える。一方、光源像から外れる上側と下側の輝度の低い領域では輝度の高い領域として見える。異常領域の見やすさとしては後者がはるかに見やすい。そこで、最初は光源像近傍の下側の輝度の低い領域を焦点を合わせずに見ながら動的モデル１０３を回転させて製品の下から上まで検査し、次に光源像近傍の上側の輝度の低い領域を焦点を合わせずに見ながら逆方向に回転させて製品の上から下まで検査することが好ましい。
【００６８】
図１７は、回転モデルの訓練におけるトレーニング時に画面１に表示される物品を示している。図１８は、図１７の物品における不良部分を拡大表示している。回転モデルの訓練において、欠陥が見える原理は製品の正常面とキズ部のそれぞれの法線方向に対する光源の入射角や検査員の視線の入射角に支配される。図１７に示すような自由曲面と突起部が含まるような物品の検査では、図１８に示す平面上にある欠陥は容易に見つけることは可能である。しかし、突起部の根本付近に欠陥がある場合は、キズ部が見える原理を満足するような照明と視線の方向を考慮した物品の最適配置を決定することは容易ではない。そこで、動的モデル１０３を操作する訓練によれば、現状の検査員による製品のハンドリングが適切であるかを評価し、最適なハンドリング方法を習得することが可能である。
【００６９】
制御部２０は、動的モデル１０３を回転動作して異常部が出現する状態になったときに、訓練者に対してその状態を感覚刺激によって提示する。例えば、制御部２０は、音による聴覚刺激、振動による触覚刺激等を提示することにより、訓練者に対して視覚以外の感覚を提示することができる。物品判定教育訓練装置は、この視覚以外の感覚刺激により、訓練者の無意識における反射的な反応を誘発することができるので、訓練者が反射的に欠陥に気付いた際の感覚を増強し、瞬時に欠陥の有無を見分ける能力を強化することに寄与する。
【００７０】
第２実施形態の物品判定教育訓練装置がもたらす作用、効果について説明する。この物品判定教育訓練装置は、物品を画面１に表示する表示部２３と、制御部２０と、計測部２２と、記憶部２１とを備える。制御部２０は、画面１に表示された一つの物品に不良品が含まれているか否かについて動的モデル１０３の操作によって入力された情報を取得して情報の正否判定を行う判定部である。計測部２２は、表示部２３によって画面１に物品が表示された時点から動的モデル１０３が操作されるまでに要した回答時間を計測する。記憶部２１は、動的モデル１０３を操作した訓練者の身体状態を表す瞬目状態および心拍間隔の少なくとも一つについて測定した生体データと正否判定の結果と回答時間とを対応づけて記憶する。
【００７１】
この物品判定教育訓練装置によっても、瞬目状態および心拍間隔の少なくとも一つについて測定したデータと正否判定の結果と回答時間とを対応づけた蓄積情報を取得できる。この蓄積情報を活用することによっても、肯定的判定ができる身体状態や肯定的判定ができない身体状態を知ることができ、検査環境の改善や訓練者の習熟度判定を行うことができる。
【００７２】
第２実施形態において訓練者が操作する操作部は、回転操作可能な動的モデル１０３である。表示部２３は、動的モデル１０３の回転角度に基づいた姿勢状態である一つの物品を画面１に表示する。これによれば、訓練者は、動的モデル１０３を回転操作することにより、画面１に表示された物品の向きを変えながら、物品に不良部分があるか否かを判定する能力を訓練することができる。これにより、実際の検査工程で製品のハンドリング動作を行いながら正否判定を行うリズム動作を習得可能な物品判定教育訓練装置を提供できる。
【００７３】
（他の実施形態）
この明細書の開示は、例示された実施形態に制限されない。開示は、例示された実施形態と、それらに基づく当業者による変形態様を包含する。例えば、開示は、実施形態において示された部品、要素の組み合わせに限定されず、種々変形して実施することが可能である。開示は、多様な組み合わせによって実施可能である。開示は、実施形態に追加可能な追加的な部分をもつことができる。開示は、実施形態の部品、要素が省略されたものを包含する。開示は、一つの実施形態と他の実施形態との間における部品、要素の置き換え、または組み合わせを包含する。開示される技術的範囲は、実施形態の記載に限定されない。開示される技術的範囲は、特許請求の範囲の記載によって示され、さらに特許請求の範囲の記載と均等の意味および範囲内での全ての変更を含むものと解されるべきである。
【００７４】
第２実施形態の動的モデルを使用した訓練の場合も、第１実施形態で図８〜図１５を参照して説明したような蓄積情報を記憶部２１に記憶し、この蓄積情報を必要に応じて閲覧可能である。
【符号の説明】
【００７５】
１…画面、  ３…コントローラ（操作部）
２０…制御部（正否判定部、周辺視状態判定部、身体状態判定部）
２１…記憶部、  ２２…計測部、  ２３…表示部
１０３…動的モデル（操作部）
【図１】
2019101260.tif 000003
【図２】
2019101260.tif 000004
【図３】
2019101260.tif 000005
【図４】
2019101260.tif 000006
【図５】
2019101260.tif 000007
【図６】
2019101260.tif 000008
【図７】
2019101260.tif 000009
【図８】
2019101260.tif 000010
【図９】
2019101260.tif 000011
【図１０】
2019101260.tif 000012
【図１１】
2019101260.tif 000013
【図１２】
2019101260.tif 000014
【図１３】
2019101260.tif 000015
【図１４】
2019101260.tif 000016
【図１５】
2019101260.tif 000017
【図１６】
2019101260.tif 000018
【図１７】
2019101260.tif 000019
【図１８】
2019101260.tif 000020
【手続補正書】
【提出日】平成30年12月27日(2018.12.27)
【手続補正１】
【補正対象書類名】特許請求の範囲
【補正対象項目名】全文
【補正方法】変更
【補正の内容】
【特許請求の範囲】
【請求項１】
一つまたは複数の物品を画面（１）に表示する表示部（２３）と、
前記画面に表示された一つまたは複数の前記物品に不良品が含まれているか否か、あるいは前記画面に表示された複数の前記物品の中に存在する不良品がどの物品であるか、について操作部（３；１０３）の操作によって入力された情報を取得して前記情報の正否判定を行う正否判定部（２０）と、
前記表示部によって前記画面に前記物品が表示された時点から前記操作部が操作されるまでに要した回答時間を計測する計測部（２２）と、
前記操作部を操作した訓練者の身体状態を表す瞬目状態および心拍間隔の少なくとも一つについて測定した生体データと前記正否判定の結果と前記回答時間とを対応づけて記憶する記憶部（２１）と、
前記訓練者の身体状態を測定した前記生体データである自発性瞬目とマイクロサッケードとに基づいて周辺視優位の状態であるか否かを判定する周辺視状態判定部（２０）と、
を備える物品判定教育訓練装置。
【請求項２】
一つまたは複数の物品を画面（１）に表示する表示部（２３）と、
前記画面に表示された一つまたは複数の前記物品に不良品が含まれているか否か、あるいは前記画面に表示された複数の前記物品の中に存在する不良品がどの物品であるか、について操作部（３；１０３）の操作によって入力された情報を取得して前記情報の正否判定を行う正否判定部（２０）と、
前記表示部によって前記画面に前記物品が表示された時点から前記操作部が操作されるまでに要した回答時間を計測する計測部（２２）と、
前記操作部を操作した訓練者の身体状態を表す瞬目状態および心拍間隔の少なくとも一つについて測定した生体データと前記正否判定の結果と前記回答時間とを対応づけて記憶する記憶部（２１）と、
数秒間に１回の周期的な自発性瞬目が測定された場合に周辺視優位の状態であることを提示する周辺視状態判定部（２０）と、
を備える物品判定教育訓練装置。
【請求項３】
一つまたは複数の物品を画面（１）に表示する表示部（２３）と、
前記画面に表示された一つまたは複数の前記物品に不良品が含まれているか否か、あるいは前記画面に表示された複数の前記物品の中に存在する不良品がどの物品であるか、について操作部（３；１０３）の操作によって入力された情報を取得して前記情報の正否判定を行う正否判定部（２０）と、
前記表示部によって前記画面に前記物品が表示された時点から前記操作部が操作されるまでに要した回答時間を計測する計測部（２２）と、
前記操作部を操作した訓練者の身体状態を表す瞬目状態および心拍間隔の少なくとも一つについて測定した生体データと前記正否判定の結果と前記回答時間とを対応づけて記憶する記憶部（２１）と、
前記訓練者の身体状態を測定した前記生体データである心拍間隔の周波数解析データに基づいて周辺視優位の状態であるか否かを判定する周辺視状態判定部（２０）と、
を備える物品判定教育訓練装置。
【請求項４】
前記記憶部は、前記周辺視状態判定部によって判定された前記周辺視優位の状態を記憶する請求項１から請求項３のいずれか一項に記載の物品判定教育訓練装置。
【請求項５】
一つまたは複数の物品を画面（１）に表示する表示部（２３）と、
前記画面に表示された一つまたは複数の前記物品に不良品が含まれているか否か、あるいは前記画面に表示された複数の前記物品の中に存在する不良品がどの物品であるか、について操作部（３；１０３）の操作によって入力された情報を取得して前記情報の正否判定を行う正否判定部（２０）と、
前記表示部によって前記画面に前記物品が表示された時点から前記操作部が操作されるまでに要した回答時間を計測する計測部（２２）と、
前記操作部を操作した訓練者の身体状態を表す瞬目状態および心拍間隔の少なくとも一つについて測定した生体データと前記正否判定の結果と前記回答時間とを対応づけて記憶する記憶部（２１）と、
検査者の現在の身体状態を表す瞬目状態および心拍間隔の少なくとも一つについて測定した生体データが、前記検査者に関して前記記憶部に記憶された前記生体データと前記正否判定の結果と前記回答時間とに基づいて求められた、適正な検査を実施可能な個別適正身体条件を満たすか否かを判定する身体状態判定部（２０）と、
を備える物品判定教育訓練装置。
【請求項６】
一つまたは複数の物品を画面（１）に表示する表示部（２３）と、
前記画面に表示された一つまたは複数の前記物品に不良品が含まれているか否か、あるいは前記画面に表示された複数の前記物品の中に存在する不良品がどの物品であるか、について操作部（３；１０３）の操作によって入力された情報を取得して前記情報の正否判定を行う正否判定部（２０）と、
前記表示部によって前記画面に前記物品が表示された時点から前記操作部が操作されるまでに要した回答時間を計測する計測部（２２）と、
前記操作部を操作した訓練者の身体状態を表す瞬目状態および心拍間隔の少なくとも一つについて測定した生体データと前記正否判定の結果と前記回答時間とを対応づけて記憶する記憶部（２１）と、
検査者の現在の身体状態を表す瞬目状態および心拍間隔の少なくとも一つについて測定した生体データが、前記記憶部にあらかじめ定められた、適正な検査を実施可能な身体状態を示す適正身体条件を、満たすか否かを判定する身体状態判定部（２０）と、
を備える物品判定教育訓練装置。
【請求項７】
一つまたは複数の物品を画面（１）に表示する表示部（２３）と、
前記画面に表示された一つまたは複数の前記物品に不良品が含まれているか否か、あるいは前記画面に表示された複数の前記物品の中に存在する不良品がどの物品であるか、について操作部（３；１０３）の操作によって入力された情報を取得して前記情報の正否判定を行う正否判定部（２０）と、
前記表示部によって前記画面に前記物品が表示された時点から前記操作部が操作されるまでに要した回答時間を計測する計測部（２２）と、
前記操作部を操作した訓練者の身体状態を表す瞬目状態および心拍間隔の少なくとも一つについて測定した生体データと前記正否判定の結果と前記回答時間とを対応づけて記憶する記憶部（２１）と、
検査者の現在の身体状態を表す瞬目状態および心拍間隔の少なくとも一つについて測定した生体データが、前記検査者に適合する特定のグループに関して、前記記憶部の蓄積情報を用いてあらかじめ定められた、適正な検査を実施可能な身体状態を示す適正身体条件を、満たすか否かを判定する身体状態判定部（２０）と、
を備える物品判定教育訓練装置。
【請求項８】
前記表示部は、静止している複数の前記物品を前記画面に表示する請求項１から請求項７のいずれか一項に記載の物品判定教育訓練装置。
【請求項９】
前記操作部は、回転操作可能な動的モデル（１０３）であり、
前記表示部は、前記動的モデルの回転角度に基づいた姿勢状態である一つの前記物品を前記画面に表示する請求項１から請求項７のいずれか一項に記載の物品判定教育訓練装置。
【手続補正２】
【補正対象書類名】明細書
【補正対象項目名】０００７
【補正方法】変更
【補正の内容】
【０００７】
開示された物品判定教育訓練装置の一つは、一つまたは複数の物品を画面（１）に表示する表示部（２３）と、画面に表示された一つまたは複数の物品に不良品が含まれているか否か、あるいは画面に表示された複数の物品の中に存在する不良品がどの物品であるか、について操作部（３；１０３）の操作によって入力された情報を取得して情報の正否判定を行う正否判定部（２０）と、表示部によって画面に物品が表示された時点から操作部が操作されるまでに要した回答時間を計測する計測部（２２）と、操作部を操作した訓練者の身体状態を表す瞬目状態および心拍間隔の少なくとも一つについて測定した生体データと正否判定の結果と回答時間とを対応づけて記憶する記憶部（２１）と、訓練者の身体状態を測定した生体データである自発性瞬目とマイクロサッケードとに基づいて周辺視優位の状態であるか否かを判定する周辺視状態判定部（２０）と、を備える。
開示された物品判定教育訓練装置の一つは、一つまたは複数の物品を画面（１）に表示する表示部（２３）と、画面に表示された一つまたは複数の物品に不良品が含まれているか否か、あるいは画面に表示された複数の物品の中に存在する不良品がどの物品であるか、について操作部（３；１０３）の操作によって入力された情報を取得して情報の正否判定を行う正否判定部（２０）と、表示部によって画面に物品が表示された時点から操作部が操作されるまでに要した回答時間を計測する計測部（２２）と、操作部を操作した訓練者の身体状態を表す瞬目状態および心拍間隔の少なくとも一つについて測定した生体データと正否判定の結果と回答時間とを対応づけて記憶する記憶部（２１）と、数秒間に１回の周期的な自発性瞬目が測定された場合に周辺視優位の状態であることを提示する周辺視状態判定部（２０）と、を備える。
開示された物品判定教育訓練装置の一つは、一つまたは複数の物品を画面（１）に表示する表示部（２３）と、画面に表示された一つまたは複数の物品に不良品が含まれているか否か、あるいは画面に表示された複数の物品の中に存在する不良品がどの物品であるか、について操作部（３；１０３）の操作によって入力された情報を取得して情報の正否判定を行う正否判定部（２０）と、表示部によって画面に物品が表示された時点から操作部が操作されるまでに要した回答時間を計測する計測部（２２）と、操作部を操作した訓練者の身体状態を表す瞬目状態および心拍間隔の少なくとも一つについて測定した生体データと正否判定の結果と回答時間とを対応づけて記憶する記憶部（２１）と、訓練者の身体状態を測定した生体データである心拍間隔の周波数解析データに基づいて周辺視優位の状態であるか否かを判定する周辺視状態判定部（２０）と、を備える。
開示された物品判定教育訓練装置の一つは、一つまたは複数の物品を画面（１）に表示する表示部（２３）と、画面に表示された一つまたは複数の物品に不良品が含まれているか否か、あるいは画面に表示された複数の物品の中に存在する不良品がどの物品であるか、について操作部（３；１０３）の操作によって入力された情報を取得して情報の正否判定を行う正否判定部（２０）と、表示部によって画面に物品が表示された時点から操作部が操作されるまでに要した回答時間を計測する計測部（２２）と、操作部を操作した訓練者の身体状態を表す瞬目状態および心拍間隔の少なくとも一つについて測定した生体データと正否判定の結果と回答時間とを対応づけて記憶する記憶部（２１）と、検査者の現在の身体状態を表す瞬目状態および心拍間隔の少なくとも一つについて測定した生体データが、検査者に関して記憶部に記憶された生体データと正否判定の結果と回答時間とに基づいて求められた、適正な検査を実施可能な個別適正身体条件を満たすか否かを判定する身体状態判定部（２０）と、を備える。
開示された物品判定教育訓練装置の一つは、一つまたは複数の物品を画面（１）に表示する表示部（２３）と、画面に表示された一つまたは複数の物品に不良品が含まれているか否か、あるいは画面に表示された複数の物品の中に存在する不良品がどの物品であるか、について操作部（３；１０３）の操作によって入力された情報を取得して情報の正否判定を行う正否判定部（２０）と、表示部によって画面に物品が表示された時点から操作部が操作されるまでに要した回答時間を計測する計測部（２２）と、操作部を操作した訓練者の身体状態を表す瞬目状態および心拍間隔の少なくとも一つについて測定した生体データと正否判定の結果と回答時間とを対応づけて記憶する記憶部（２１）と、検査者の現在の身体状態を表す瞬目状態および心拍間隔の少なくとも一つについて測定した生体データが、記憶部にあらかじめ定められた、適正な検査を実施可能な身体状態を示す適正身体条件を、満たすか否かを判定する身体状態判定部（２０）と、を備える。
開示された物品判定教育訓練装置の一つは、一つまたは複数の物品を画面（１）に表示する表示部（２３）と、画面に表示された一つまたは複数の物品に不良品が含まれているか否か、あるいは画面に表示された複数の物品の中に存在する不良品がどの物品であるか、について操作部（３；１０３）の操作によって入力された情報を取得して情報の正否判定を行う正否判定部（２０）と、表示部によって画面に物品が表示された時点から操作部が操作されるまでに要した回答時間を計測する計測部（２２）と、操作部を操作した訓練者の身体状態を表す瞬目状態および心拍間隔の少なくとも一つについて測定した生体データと正否判定の結果と回答時間とを対応づけて記憶する記憶部（２１）と、検査者の現在の身体状態を表す瞬目状態および心拍間隔の少なくとも一つについて測定した生体データが、検査者に適合する特定のグループに関して、記憶部の蓄積情報を用いてあらかじめ定められた、適正な検査を実施可能な身体状態を示す適正身体条件を、満たすか否かを判定する身体状態判定部（２０）と、を備える。